(57)【要約】【課題】  ネットワーク接続対応機器をノードアイコンとして画面上に表示する場合において、当該ネットワーク接続対応機器の所有者や設置位置などを即座に認識することができるアイコン表示装置、アイコン表示プログラム及びアイコン表示方法を提供する。【解決手段】  本発明に係るアイコン表示方法では、グループアイコン１１８及びグループアイコン１１８に対応付けられたノードアイコン１１５〜１１７などによって構成される統合化アイコン１５０を表示部に表示させ、統合化アイコン１５０では、グループアイコン１１８よりも小さいノードアイコン１１５〜１１７が、グループアイコン１１８の周辺部に配置されている。【選択図】  図６
2006277356.tif 000002
【特許請求の範囲】
【請求項１】
通信ネットワークに接続されているネットワーク接続対応機器が記号化されたノードアイコンを表示部に表示するアイコン表示装置であって、
複数の前記ネットワーク接続対応機器を対応付けることができるグループアイコンを登録するグループアイコン登録部と、
前記グループアイコン登録部によって登録された前記グループアイコンに前記ノードアイコンを対応付ける対応設定部と、
前記対応設定部によって対応付けられた前記グループアイコンを含む統合化アイコンを前記表示部に表示させる表示処理部と
を備え、
前記統合化アイコンでは、前記グループアイコンよりも小さい前記ノードアイコンが、前記グループアイコンの周辺部に配置されていることを特徴とするアイコン表示装置。
【請求項２】
前記対応設定部は、前記グループアイコンに他の統合化アイコンを対応付け、
前記統合化アイコンでは、前記グループアイコンよりも小さい他の統合化アイコンが前記グループアイコンの周辺部に配置されていることを特徴とする請求項１に記載のアイコン表示装置。
【請求項３】
前記表示処理部は、前記表示部に表示されている前記統合化アイコンに対して所定の操作が実行された場合、前記統合化アイコンを構成する前記グループアイコンである統合グループアイコン、及び前記統合グループアイコンに対応付けられている前記ノードアイコンを略同一のサイズで前記表示部に表示させることを特徴とする請求項１または２に記載のアイコン表示装置。
【請求項４】
前記表示処理部は、前記統合グループアイコンと前記ノードアイコンとが線で接続された状態で、前記統合グループアイコンと前記ノードアイコンとを前記表示部に表示させることを特徴とする請求項３に記載のアイコン表示装置。
【請求項５】
前記表示処理部は、前記表示部に表示されている前記統合化アイコンに対して所定の操作が実行された場合、前記統合化アイコンを構成する前記グループアイコンである統合グループアイコン、及び前記統合グループアイコンに対応付けられている前記他の統合化アイコンを略同一のサイズで前記表示部に表示させることを特徴とする請求項１または２に記載のアイコン表示装置。
【請求項６】
前記表示処理部は、前記統合グループアイコンと前記他の統合化アイコンとが線で接続された状態で、前記統合グループアイコンと前記他の統合化アイコンとを前記表示部に表示させることを特徴とする請求項５に記載のアイコン表示装置。
【請求項７】
前記表示処理部は、前記統合グループアイコンの周辺部において、前記ノードアイコンまたは前記他の統合化アイコンを所定数のみ表示し、
前記ノードアイコンまたは前記他の統合化アイコンの合計数が前記所定数を超える場合、前記表示処理部は、前記周辺部に表示できない前記ノードアイコンまたは前記他の統合化アイコンの合計数を前記周辺部に表示させることを特徴とする請求項２乃至６の何れか一項に記載のアイコン表示装置。
【請求項８】
前記表示処理部は、前記周辺部に表示できない前記ノードアイコンまたは前記他の統合化アイコンを順次表示させる表示切替キーを前記表示部に表示させ、
前記表示切替キーに対して所定の操作が実行された場合、前記表示処理部は、前記周辺部に表示できない前記ノードアイコンまたは前記他の統合化アイコンを順次表示することを特徴とする請求項７に記載のアイコン表示装置。
【請求項９】
通信ネットワーク接続されているネットワーク接続対応機器が記号化されたノードアイコンを表示部に表示させるアイコン表示プログラムであって、
コンピュータを、
複数の前記ネットワーク接続対応機器を対応付けることができるグループアイコンを登録するグループアイコン登録手段と、
前記グループアイコン登録部によって登録された前記グループアイコンに前記ノードアイコンを対応付ける対応設定手段と、
前記対応設定手段によって対応付けられた前記グループアイコンを含む統合化アイコンを前記表示部に表示する表示処理手段と
して機能させ、
前記統合化アイコンでは、前記グループアイコンよりも小さい前記ノードアイコンが、前記グループアイコンの周辺部に配置されていることを特徴とするアイコン表示プログラム。
【請求項１０】
通信ネットワーク接続されているネットワーク接続対応機器が記号化されたノードアイコンを表示部に表示させるアイコン表示方法であって、
複数の前記ネットワーク接続対応機器を対応付けることができるグループアイコンを登録するステップと、
前記グループアイコン登録部によって登録された前記グループアイコンに前記ノードアイコンを対応付けるステップと、
前記対応付けるステップにおいて対応付けられた前記グループアイコンを含む統合化アイコンを前記表示部に表示するステップと
を備え、
前記統合化アイコンでは、前記グループアイコンよりも小さい前記ノードアイコンが、前記グループアイコンの周辺部に配置されていることを特徴とするアイコン表示方法。
【発明の詳細な説明】
【技術分野】
【０００１】
本発明は、アイコン表示装置、アイコン表示プログラム及びアイコン表示方法に関する。
【背景技術】
【０００２】
従来、パーソナル・コンピュータ（ＰＣ）、通信機器、アプリケーション、ユーザ及びファイルなどを分かりやすく記号化したアイコンを表示装置の画面上に表示する方法が広く用いられている。
【０００３】
さらに、このようなアイコンを画面上に表示する際に、当該アイコンの周囲などに、当該アイコンと関連のある他のアイコンを表示する方法が提案されている（例えば、特許文献１）。
【特許文献１】特開平７−２４４５７３号公報（第３−４頁、第１図）
【発明の開示】
【発明が解決しようとする課題】
【０００４】
ところで、近年、住宅に設置されるコンピュータ、携帯通信端末、家電品、防犯機器などのノード（以下、ネットワーク接続対応機器という）が、通信ネットワーク（ホームネットワークなど）に接続できるようになってきている。
【０００５】
このようなネットワーク接続対応機器は、通信ネットワークに接続された場合、或いは電源が投入された場合などに、アイコン（ノードアイコン）として表示装置の画面上に表示される。
【０００６】
しかしながら、ネットワーク接続対応機器がノードアイコンとして表示装置の画面上に表示されても、ネットワーク接続対応機器の所有者や設置位置などを即座に認識することができないといった問題があった。
【０００７】
そこで、本発明は、このような状況に鑑みてなされたものであり、ネットワーク接続対応機器をノードアイコンとして画面上に表示する場合において、当該ネットワーク接続対応機器の所有者や設置位置などを即座に認識することができるアイコン表示装置、アイコン表示プログラム及びアイコン表示方法を提供することを目的とする。
【課題を解決するための手段】
【０００８】
上述した問題を解決するため、本発明は、次のような特徴を有している。まず、本発明の第１の特徴は、通信ネットワーク（ホームネットワーク１０）に接続されているネットワーク接続対応機器（例えば、ＰＣ２０）が記号化されたノードアイコン（例えば、ノードアイコン１１１）を表示部（表示画面１００Ｄ）に表示するアイコン表示装置（表示処理装置１００）であって、複数の前記ネットワーク接続対応機器を対応付けることができるグループアイコン（例えば、グループアイコン１１８）を登録するグループアイコン登録部（処理部１０３）と、前記グループアイコン登録部によって登録された前記グループアイコンに前記ノードアイコンを対応付ける対応設定部（処理部１０３）と、前記対応設定部によって対応付けられた前記グループアイコンを含む統合化アイコン（例えば、統合化アイコン１５０）を前記表示部に表示させる表示処理部（処理部１０３）とを備え、前記統合化アイコンでは、前記グループアイコンよりも小さい前記ノードアイコンが、前記グループアイコンの周辺部に配置されていることを要旨とする。
【０００９】
このような特徴によれば、ユーザは、特定のグループアイコン（例えば、ネットワーク接続対応機器の所有者や設置位置毎のアイコン）に所望のネットワーク接続対応機器を対応付けることができる。また、表示部に表示される統合化アイコンでは、グループアイコンよりも小さいノードアイコンが、当該グループアイコンの周辺部に配置される。
【００１０】
このため、ネットワーク接続対応機器をノードアイコンとして画面上に表示する場合において、当該ネットワーク接続対応機器の所有者や設置位置などを即座に認識することができる。
【００１１】
本発明の第２の特徴は、本発明の第１の特徴に係り、前記対応設定部は、前記グループアイコンに他の統合化アイコン（例えば、統合化アイコン１１３）を対応付け、前記統合化アイコンでは、前記グループアイコンよりも小さい前記他の統合化アイコンが前記グループアイコンの周辺部に配置されていることを要旨とする。
【００１２】
本発明の第３の特徴は、本発明の第１または第２の特徴に係り、前記表示処理部は、前記表示部に表示されている前記統合化アイコンに対して所定の操作が実行された場合、前記統合化アイコンを構成する前記グループアイコンである統合グループアイコン（例えば、グループアイコン１１８）、及び前記統合グループアイコンに対応付けられている前記ノードアイコン（例えば、ノードアイコン１１５）を略同一のサイズで前記表示部に表示させることを要旨とする。
【００１３】
本発明の第４の特徴は、本発明の第３の特徴に係り、前記表示処理部は、前記統合グループアイコンと前記ノードアイコンとが線（直線ＳＬ）で接続された状態で、前記統合グループアイコンと前記ノードアイコンとを前記表示部に表示させることを要旨とする。
【００１４】
本発明の第５の特徴は、本発明の第１または第２の特徴に係り、前記表示処理部は、前記表示部に表示されている前記統合化アイコンに対して所定の操作が実行された場合、前記統合化アイコンを構成する前記グループアイコンである統合グループアイコン（例えば、グループアイコン１１８）、及び前記統合グループアイコンに対応付けられている前記他の統合化アイコン（例えば、統合化アイコン１１３）を略同一のサイズで前記表示部に表示させることを要旨とする。
【００１５】
本発明の第６の特徴は、本発明の第５の特徴に係り、前記表示処理部は、前記統合グループアイコンと前記他の統合化アイコンとが線（直線ＳＬ）で接続された状態で、前記統合グループアイコンと前記他の統合化アイコンとを前記表示部に表示させることを要旨とする。
【００１６】
本発明の第７の特徴は、本発明の第２乃至第６の特徴に係り、前記表示処理部は、前記統合グループアイコンの周辺部において、前記ノードアイコンまたは前記他の統合化アイコンを所定数のみ表示し、前記ノードアイコンまたは前記他の統合化アイコンの合計数が前記所定数を超える場合、前記表示処理部は、前記周辺部に表示できない前記ノードアイコンまたは前記他の統合化アイコンの合計数を前記周辺部に表示させることを要旨とする。
【００１７】
本発明の第８の特徴は、本発明の第７の特徴に係り、前記表示処理部は、前記周辺部に表示できない前記ノードアイコンまたは前記他の統合化アイコンを順次表示させる表示切替キー（左回転操作キー部２１０Ｌ，右回転操作キー部２１０Ｒ）を前記表示部に表示させ、前記表示切替キーに対して所定の操作が実行された場合、前記表示処理部は、前記前記周辺部に表示できない前記ノードアイコンまたは前記他の統合化アイコンを順次表示することを要旨とする。
【００１８】
本発明の第９の特徴は、通信ネットワーク接続されているネットワーク接続対応機器が記号化されたノードアイコンを表示部に表示させるアイコン表示プログラムであって、コンピュータを、複数の前記ネットワーク接続対応機器を対応付けることができるグループアイコンを登録するグループアイコン登録手段と、前記グループアイコン登録部によって登録された前記グループアイコンに前記ノードアイコンを対応付ける対応設定手段と、前記対応設定手段によって対応付けられた前記グループアイコンを含む統合化アイコンを前記表示部に表示する表示処理手段として機能させ、前記統合化アイコンでは、前記グループアイコンよりも小さい前記ノードアイコンが、前記グループアイコンの周辺部に配置されていることを要旨とする。
【００１９】
本発明の第１０の特徴は、通信ネットワーク接続されているネットワーク接続対応機器が記号化されたノードアイコンを表示部に表示させるアイコン表示方法であって、複数の前記ネットワーク接続対応機器を対応付けることができるグループアイコンを登録するステップと、前記グループアイコン登録部によって登録された前記グループアイコンに前記ノードアイコンを対応付けるステップと、前記対応付けるステップにおいて対応付けられた前記グループアイコンを含む統合化アイコンを前記表示部に表示するステップとを備え、前記統合化アイコンでは、前記グループアイコンよりも小さい前記ノードアイコンが、前記グループアイコンの周辺部に配置されていることを要旨とする。
【発明の効果】
【００２０】
本発明の特徴によれば、ネットワーク接続対応機器をノードアイコンとして画面上に表示する場合において、当該ネットワーク接続対応機器の所有者や設置位置などを即座に認識することができるアイコン表示装置、アイコン表示プログラム及びアイコン表示方法を提供することができる。
【発明を実施するための最良の形態】
【００２１】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２２】
したがって、具体的な寸法などは以下の説明を参酌して判断すべきものである。また、図面相互間においても互いの寸法の関係や比率が異なる部分が含まれていることは勿論である。
【００２３】
（アイコン表示装置を含む通信ネットワークの全体概略構成）
図１は、本実施形態に係るアイコン表示装置を含む通信ネットワークの全体概略構成を示している。
【００２４】
ホームネットワーク１０は、ＰＣ２０、電話機３０、携帯電話機４０、ＤＶＤレコーダ５０及びエアコン６０が接続される通信ネットワークであり、住宅などの建物（不図示）内をカバーする。
【００２５】
ＰＣ２０、電話機３０、携帯電話機４０、ＤＶＤレコーダ５０及びエアコン６０は、ホームネットワーク１０に接続することができるネットワーク接続対応機器（ノード）である。なお、ホームネットワーク１０には、図１に示したネットワーク接続対応機器以外のネットワーク接続対応機器（テレビ受像機など）を接続してもよい。
【００２６】
本実施形態では、ホームネットワーク１０は、１００ＢＡＳＥ−ＴＸなどの有線ＬＡＮによって構成されている。また、ホームネットワーク１０は、ＩＥＥＥ８０２．１１によって規定される無線ＬＡＮなどの無線通信方式を用いて、ＰＣ２０などのネットワーク接続対応機器を接続することもできる。
【００２７】
表示処理装置１００（アイコン表示装置）は、ホームネットワーク１０に接続されているＰＣ２０などのネットワーク接続対応機器が記号化されたノードアイコンを表示部１０５（図２参照）に表示する。
【００２８】
（アイコン表示装置の論理ブロック構成）
次に、図２を参照して、本実施形態においてアイコン表示装置を構成する表示処理装置１００の論理ブロック構成について説明する。
【００２９】
図２に示すように、表示処理装置１００は、通信ＩＦ部１０１、処理部１０３、表示部１０５、操作情報取得部１０７及び記憶部１０９を備えている。なお、以下、本発明との関連がある部分について主に説明する。したがって、各装置の機能を実現する上で必須な、図示しない或いは説明を省略した論理ブロック（電源部など）を備える場合があることに留意されたい。
【００３０】
通信ＩＦ部１０１は、ホームネットワーク１０と接続するための通信インターフェースを提供する。具体的には、通信ＩＦ部１０１は、１００ＢＡＳＥ−ＴＸなどの有線ＬＡＮに接続することができるＬＡＮカードなどによって構成されている。
【００３１】
処理部１０３は、通信ＩＦ部１０１を介してＰＣ２０などのネットワーク接続対応機器から送信された情報や、操作情報取得部１０７によって出力された情報に基づいて、表示部１０５に表示される情報などを生成する。
【００３２】
具体的には、処理部１０３は、複数のネットワーク接続対応機器を対応付けることができるグループアイコン（例えば、図４に示すグループアイコン１２１）を登録する機能を提供する。本実施形態において、処理部１０３はグループアイコン登録部を構成する。
【００３３】
また、処理部１０３は、登録されたグループアイコンにノードアイコン（例えば、図４に示すノードアイコン１１１）を対応付ける機能を提供する。本実施形態において、処理部１０３は対応設定部を構成する。
【００３４】
さらに、処理部１０３は、グループアイコン、及び当該グループアイコンに対応付けられたノードアイコンによって構成される統合化アイコンを表示部１０５に表示させる機能を提供する。本実施形態において、処理部１０３は表示処理部を構成する。なお、処理部１０３のより具体的な動作については後述する。
【００３５】
表示部１０５は、処理部１０３によって出力された情報に基づいて、ノードアイコン、グループアイコン及び統合化アイコンなどを表示する。具体的には、表示部１０５は、液晶表示パネルによって構成されている。
【００３６】
操作情報取得部１０７は、ＰＣ２０などのネットワーク接続対応機器のユーザが実行した操作内容を取得する。本実施形態では、液晶表示パネルによって構成される表示部１０５にタッチパネル（不図示）が具備されている。操作情報取得部１０７は、当該タッチパネルを用いて、ユーザが実行した操作内容を取得する。
【００３７】
記憶部１０９は、処理部１０３によって生成された統合化アイコンの内容、つまり、グループアイコンとノードアイコンとの対応関係や、ノードアイコン、グループアイコン及び統合化アイコンの形状などを記憶する。
【００３８】
（アイコン表示装置の動作）
次に、本実施形態においてアイコン表示装置を構成する表示処理装置１００の動作について説明する。具体的には、（１）グループアイコンの登録〜統合化アイコンの生成、（２）統合化アイコンの表示、（３）ネットワーク接続対応機器の操作について説明する。
【００３９】
（１）グループアイコンの登録〜統合化アイコンの生成
図３は、表示部１０５において表示される表示画面１００Ｄの一例を示している。図３に示すように、表示画面１００Ｄには、ホームネットワーク１０に接続されているネットワーク接続対応機器のノードアイコン（例えば、ノードアイコン１１０）が表示される。
【００４０】
また、表示画面１００Ｄの右側上端には、グループアイコンの登録などを実行する際に用いられるグループコントロールボタン１２０が配置されている。グループコントロールボタン１２０を押下すると、グループコントロールボタン１２０の下方に、グループアイコンの登録（図中の“Ａｄｄ Ｇｒｏｕｐ”）や、登録したグループアイコン（図中の“Ｐｅｒｓｏｎ”、“Ｐｌａｃｅ”）の呼び出すために用いられる操作ボタン領域１３０が表示される。
【００４１】
操作ボタン領域１３０の“Ｐｅｒｓｏｎ”ボタンが押下されると、選択可能なグループアイコンがポップアップ表示される。
【００４２】
図４（ａ）は、ポップアップ表示されたグループアイコンのひとつであるグループアイコン１２１（お母さん）が選択された場合における表示画面１００Ｄを示している。また、図４（ａ）では、グループアイコン１２１に対応付けるノードアイコンとして、ノードアイコン１１１（ＰＣ２０）及びノードアイコン１１２（携帯電話機４０）が選択された状態（ノードアイコン１１１，１１２がハイライト表示）が示されている。
【００４３】
Ｉｎｆｏボタン１４０は、選択されたノードアイコンの情報（例えば、ＩＰアドレスやノード名称）を表示するために用いられるボタンである。
【００４４】
図４（ｂ）は、グループアイコン１２１に対応付けるノードアイコンとして、ノードアイコン１１１（ＰＣ２０）及びノードアイコン１１２（携帯電話機４０）が選択された後における表示画面１００Ｄを示している。
【００４５】
図４（ｂ）に示すように、表示画面１００Ｄには、グループアイコン１２１、及びグループアイコン１２１に対応付けられたノードアイコン（ノードアイコン１１１，１１２）によって構成される統合化アイコン１１３が表示される。
【００４６】
統合化アイコン１１３では、グループアイコン１２１よりも小さいノードアイコン（ノードアイコン１１１，１１２）が、グループアイコン１２１の周辺部に配置されている。
【００４７】
また、表示画面１００Ｄには、統合化アイコン１１３と同様の方法によって生成された統合化アイコン１１４が表示されている。
【００４８】
図５（ａ）及び（ｂ）は、別のグループアイコンの生成方法を示している。図５（ａ）は、操作ボタン領域１３０（図３参照）の“Ｐｌａｃｅ”ボタンを選択することによってポップアップ表示されたグループアイコンのひとつであるグループアイコン１１８（自宅）が選択された場合における表示画面１００Ｄを示している。また、図５（ａ）では、グループアイコン１１８に対応付ける“ノードアイコン”として、ノードアイコン１１５（電話機３０）、ノードアイコン１１６（ＤＶＤレコーダ５０）及びノードアイコン１１７（エアコン６０）が選択された状態（ノードアイコン１１５〜１１７がハイライト表示）が示されている。
【００４９】
さらに、図５（ａ）では、グループアイコン１１８に対応付ける“統合化アイコン”として、統合化アイコン１１３及び統合化アイコン１１４が選択された状態（統合化アイコン１１３及び統合化アイコン１１４がハイライト表示）が示されている。
【００５０】
図５（ｂ）は、グループアイコン１１８に対応付けるノードアイコンとして、ノードアイコン１１５〜１１７が選択され、また、グループアイコン１１８に対応付ける統合化アイコンとして、統合化アイコン１１３及び統合化アイコン１１４が選択された後における表示画面１００Ｄを示している。
【００５１】
図５（ｂ）に示すように、表示画面１００Ｄには、ノードアイコン（ノードアイコン１１５〜１１７）に加え、統合化アイコン１１３及び統合化アイコン１１４（他の統合化アイコン）が対応付けられた統合化アイコン１５０が表示される。
【００５２】
Ｍｏｒｅボタン１４１は、統合化アイコン１５０など、統合化アイコンが２階層以上の階層構造（例えば、統合化アイコン１５０〜統合化アイコン１１３〜ノードアイコン１１１）を有する場合において、統合化アイコン１５０上において表示されていないノードアイコンなどを表示するために用いられるボタンである。
【００５３】
（２）統合化アイコンの表示
図６（ａ）は、図５（ｂ）に示した統合化アイコン１５０を拡大したものである。図６（ａ）に示すように、統合化アイコン１５０では、統合化アイコン１５０を構成するグループアイコン１１８よりも小さいノードアイコン（ノードアイコン１１５〜１１７）が、グループアイコン１１８の周辺部に配置されている。
【００５４】
また、統合化アイコン１５０では、統合化アイコン１５０を構成するグループアイコン１１８よりも小さい統合化アイコン（統合化アイコン１１３，１１４）がグループアイコン１１８の周辺部に配置されている。
【００５５】
なお、統合化アイコン１５０では、統合化アイコン１１３，１１４を構成するグループアイコンに対応付けられているノードアイコンは表示されない。例えば、統合化アイコン１１３を構成するグループアイコン１２１に対応付けられているノードアイコン１１１，１１２（図６（ｂ）参照）は、表示されない。
【００５６】
図６（ｂ）は、表示画面１００Ｄに表示されている統合化アイコン１５０を押下する操作（所定の操作）が実行された場合における統合化アイコン１５０の表示態様を示している。
【００５７】
図６（ｂ）に示すように、表示画面１００Ｄに表示されている統合化アイコン１５０を押下する操作が実行された場合、統合化アイコン１５０を構成するグループアイコンであるグループアイコン１１８（統合グループアイコン）、及びグループアイコン１１８に対応付けられているノードアイコン（ノードアイコン１１５〜１１７）が、略同一のサイズで表示画面１００Ｄに展開して表示される。
【００５８】
同様に、グループアイコン１１８に対応付けられている統合化アイコン１１３，１１４（他の統合化アイコン）が、グループアイコン１１８と略同一のサイズで表示画面１００Ｄに展開して表示される。
【００５９】
また、図６（ｂ）に示すように、グループアイコン１１８と、ノードアイコン１１５〜１１７とは、直線ＳＬでそれぞれ接続された状態で、表示画面１００Ｄに表示される。
【００６０】
同様に、グループアイコン１１８と、統合化アイコン１１３，１１４とは、直線ＳＬでそれぞれ接続された状態で、表示画面１００Ｄに表示される。
【００６１】
また、本実施形態では、ノードアイコン、グループアイコン及び統合化アイコンは、ネットワーク接続対応機器が記号化されたアイコン部分を円で囲んだ形状を有している。直線ＳＬは、当該アイコン部分を囲む円の円周部に接続される。
【００６２】
なお、グループアイコン１１８に対応付けられているノードアイコンまたは統合化アイコンを明瞭に表示するため、アイコン部分を囲むことが好ましいが、当該形状は円に限定されるものではなく、多角形などであってもよい。
【００６３】
また、本実施形態では、統合化アイコン１５０を構成するグループアイコン１１８の円周部は、グループアイコン１１８を識別し易くするため、二重線で表示されている。
【００６４】
図７は、図６（ｂ）に示した状態において、ユーザによって統合化アイコン１１３が押下された場合における統合化アイコン１５０の表示態様を示している。
【００６５】
図７に示すように、ユーザによって統合化アイコン１１３が押下されると、統合化アイコン１１３を構成するグループアイコン１２１が表示領域の中央に移動し、グループアイコン１２１の円周部が二重線で表示される。
【００６６】
また、グループアイコン１２１に対応付けられているノードアイコン（ノードアイコン１１１，１１２）が、グループアイコン１２１と略同一のサイズで表示される。一方、グループアイコン１１８に対応付けられているノードアイコン（ノードアイコン１１５〜１１７）は、グループアイコン１１８の周辺部において、グループアイコン１１８よりも小さく表示される。
【００６７】
図８（ａ）は、別の統合化アイコンの例である統合化アイコン１６０を示している。また、図８（ｂ）は、表示画面１００Ｄに表示されている統合化アイコン１６０を押下する操作（所定の操作）が実行された場合における統合化アイコン１６０の表示態様を示している。
【００６８】
図８（ａ）及び（ｂ）に示すように、統合化アイコン１６０は、図６（ａ）及び（ｂ）に示した統合化アイコン１５０と比較すると、非表示アイコン数表示１７０，１７１を有している。統合化アイコン１６０では、統合化アイコン１５０よりも多くのノードアイコンなどが対応付けられているため、統合化アイコン１６０の周辺部において、統合化アイコン１６０を構成するグループアイコン１１８に対応付けられているすべてのノードアイコンなどを表示することができない。
【００６９】
そこで、統合化アイコン１６０の周辺部において、ノードアイコンまたは統合化アイコン１６０に対応付けられる他の統合化アイコン（例えば、統合化アイコン１１３）が、所定数のみ表示される。
【００７０】
さらに、非表示アイコン数表示１７０を設け、ノードアイコンまたは統合化アイコン１６０に対応付けられる他の統合化アイコンの合計数が当該所定数を超える場合、グループアイコン１１８の周辺部に表示できないノードアイコンまたは他の統合化アイコンの合計数をグループアイコン１１８の周辺部に表示させる。
【００７１】
また、表示画面１００Ｄには、グループアイコン１１８の周辺部に表示できないノードアイコンまたは他の統合化アイコンを順次表示させる右回転操作キー部２１０Ｒ及び左回転操作キー部２１０Ｌ（表示切替キー）が表示される。
【００７２】
左回転操作キー部２１０Ｌ（または左回転操作キー部２１０Ｌ）を押下する操作（所定の操作）が実行された場合、グループアイコン１１８の周辺部において、表示されているノードアイコンなどが順次右回り（左回り）に移動し、グループアイコン１１８の周辺部に表示できないノードアイコンまたは他の統合化アイコンが順次表示される。
【００７３】
例えば、図８（ｂ）に示す状態において、左回転操作キー部２１０Ｌが一回押下されると、ノードアイコン１１５（携帯電話機４０）は、ノードアイコン１１７（エアコン６０）の位置に移動する。
【００７４】
また、グループアイコン１１８の周辺部において、表示されているノードアイコンなどが順次右回り（または左回り）に移動するときには、表示画面１００Ｄに表示される図形を一気に切り替えるのではなく、ノードアイコンなどが移動中の図形を複数用いる。
【００７５】
このため、ユーザに対して、グループアイコン１１８の周辺部に位置するノードアイコンなどが、グループアイコン１１８の周辺部を回転しながら移動するように視認させることができる。
【００７６】
（３）ネットワーク接続対応機器の操作
次に、図９及び図１０を参照して、表示処理装置１００を用いたネットワーク接続対応機器の操作方法について説明する。
【００７７】
図９は、図７に示したノードアイコン１１１を押下する操作が実行された場合における統合化アイコン１５０の表示態様を示している。図９に示すように、ノードアイコン１１１を押下する操作が実行されると、ノードアイコン１１１の円周部がハイライト表示される。
【００７８】
また、ノードアイコン１１１を押下する操作が実行されると、表示画面１００Ｄの左側部分に、操作ボタン領域２００が表示される。なお、操作ボタン領域２００に表示されるボタンの種類は、ネットワーク接続対応機器の種類によって異なる。
【００７９】
“Ｇｅｔ Ｉｎｆｏ”は、ノードアイコン１１１、つまり、携帯電話機４０のＩＰアドレス、所有者、名称及びモデル型番などを表示するためのボタンである。“Ｔｅｌ Ｃａｌｌ”は、携帯電話機４０と通話するための接続処理を実行するためのボタンであり、“Ｔｅｌ Ｍａｉｌ”は、携帯電話機４０に電子メールの送信を実行するためのボタンである。
【００８０】
また、“Ｃｏｎｔｅｎｔｓ”は、携帯電話機４０が提供するコンテンツ共有サービスを利用するためのボタンである。
【００８１】
図１０は、特定のネットワーク接続対応機器（例えば、図１に示したＤＶＤレコーダ５０）が具備するアプリケーションが実行されている場合に、表示画面１００Ｄに表示される内容を示している。
【００８２】
図１０に示すように、ＤＶＤレコーダ５０が具備するアプリケーションの実行中に、ホームネットワーク１０に接続されている他のネットワーク接続対応機器（例えば、携帯電話機４０）からＤＶＤレコーダ５０に対するリモートアクセスが実行された場合、表示画面１００Ｄの下側部分に、ＤＶＤレコーダ５０が具備するアプリケーションの実行状況を視認できる半透明状のポップアップステータスバー２３０が表示される。
【００８３】
ポップアップステータスバー２３０には、ＤＶＤレコーダ５０に対するリモートアクセスを実行している携帯電話機４０が対応付けられている統合化アイコン１５０が表示される。
【００８４】
さらに他のネットワーク接続対応機器（例えば、ＰＣ２０）からＤＶＤレコーダ５０に対するリモートアクセスが実行されている場合、ＤＶＤレコーダ５０に対するリモートアクセスを実行しているＰＣ２０が対応付けられている統合化アイコン１５１がポップアップステータスバー２３０に表示される。
【００８５】
また、ポップアップステータスバー２３０には、ＤＶＤレコーダ５０にリモートアクセスを実行しているノード数を表示するノード数表示２３１が設けられている。
【００８６】
（作用・効果）
以上説明した本実施形態に係る表示処理装置１００によれば、ユーザは、特定のグループアイコン（例えば、ネットワーク接続対応機器の所有者や設置位置毎のアイコン）に所望のネットワーク接続対応機器を対応付けることができる。また、表示部１０５（表示画面１００Ｄ）に表示される統合化アイコンでは、グループアイコンよりも小さいノードアイコンが、当該グループアイコンの周辺部に配置される。
【００８７】
このため、ネットワーク接続対応機器をノードアイコンとして表示画面１００Ｄ上に表示する場合において、当該ネットワーク接続対応機器の所有者や設置位置などを即座に認識することができる。
【００８８】
表示処理装置１００によれば、表示画面１００Ｄに表示されている統合化アイコンを押下する操作が実行された場合、統合化アイコンを構成するグループアイコン（統合グループアイコン）、及び当該グループアイコンに対応付けられているノードアイコンなどが、略同一のサイズで表示画面１００Ｄに表示される。また、当該グループアイコンとノードアイコンなどとは、直線ＳＬによって接続された状態で表示画面１００Ｄに表示される。
【００８９】
このため、通常時には、グループアイコンの周辺部において小さく表示されているノードアイコンなども、統合化アイコンを押下する操作を実行することによって、当該統合化アイコンを構成するグループアイコンに対応付けられているノードアイコンなどをユーザに容易に視認させることができる。
【００９０】
特に、表示処理装置１００のように、マウスやキーボードなどの入力デバイスではなく、タッチパネルの入力デバイスが用いられる場合、表示画面１００Ｄの特定の場所（例えば、グループアイコンの周辺部において小さく表示されているノードアイコン）を選択することが難しくなる。
【００９１】
表示処理装置１００によれば、タッチパネルの入力デバイスが用いられる場合でも、表示画面１００Ｄに表示されている統合化アイコンを押下する操作が実行された場合、統合化アイコンを構成するグループアイコン、及び当該グループアイコンに対応付けられているノードアイコンなどが、略同一のサイズで表示画面１００Ｄに表示されるため、特定のノードアイコンなどを容易に選択することができる。
【００９２】
表示処理装置１００によれば、統合化アイコンを構成するグループアイコンの周辺部に表示できないノードアイコンなどの合計数が当該グループアイコンの周辺部に表示される。また、当該グループアイコンの周辺部に表示できないノードアイコンなどを順次表示させる左回転操作キー部２１０Ｌ及び右回転操作キー部２１０Ｒが表示画面１００Ｄに表示される。
【００９３】
このため、統合化アイコンを構成するグループアイコンに多くのノードアイコンなどが対応付けられた場合でも、統合化アイコンの構成を複雑にすることなく、当該グループアイコンに対応付けられているノードアイコンなどをユーザに容易に認識させることができる。
【００９４】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９５】
例えば、上述した本発明の実施形態に係る表示処理装置１００の処理部１０３（グループアイコン登録部、対応設定部及び表示処理部）の機能は、ＰＣなどのコンピュータにおいて実行可能なプログラムとして提供することもできる。
【００９６】
また、上述した本発明の実施形態では、ホームネットワーク１０に接続されるネットワーク接続対応機器を例として説明したが、本発明が適用される通信ネットワークの種類は、住宅内をカバーするホームネットワークに限定されるものではない。
【００９７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９８】
【図１】本発明の実施形態に係るアイコン表示装置を含む通信ネットワークの全体概略構成図である。
【図２】本発明の実施形態に係るアイコン表示装置の論理ブロック構成図である。
【図３】本発明の実施形態に係るアイコン表示装置の表示画面例を示す図である。
【図４】本発明の実施形態に係るアイコン表示装置の表示画面例を示す図である。
【図５】本発明の実施形態に係るアイコン表示装置の表示画面例を示す図である。
【図６】本発明の実施形態に係るアイコン表示装置において表示される統合化アイコンの一例を示す図である。
【図７】本発明の実施形態に係るアイコン表示装置において表示される統合化アイコンの一例を示す図である。
【図８】本発明の実施形態に係るアイコン表示装置において表示される統合化アイコンの一例を示す図である。
【図９】本発明の実施形態に係るアイコン表示装置の表示画面例を示す図である。
【図１０】本発明の実施形態に係るアイコン表示装置の表示画面例を示す図である。
【符号の説明】
【００９９】
１０…ホームネットワーク、２０…ＰＣ、３０…電話機、４０…携帯電話機、５０…ＤＶＤレコーダ、６０…エアコン、１００…表示処理装置、１００Ｄ…表示画面、１０１…通信ＩＦ部、１０３…処理部、１０５…表示部、１０７…操作情報取得部、１０９…記憶部、１１０〜１１２…ノードアイコン、１１３，１１４…統合化アイコン、１１５〜１１７…ノードアイコン、１１８…グループアイコン、１２０…グループコントロールボタン、１２１…グループアイコン、１３０…操作ボタン領域、１４０…Ｉｎｆｏボタン、１４１…Ｍｏｒｅボタン、１５０，１５１，１６０…統合化アイコン、１７０，１７１…非表示アイコン数表示、２００…操作ボタン領域、２１０Ｌ…左回転操作キー部、２１０Ｒ…右回転操作キー部、２３０…ポップアップステータスバー、２３１…ノード数表示、ＳＬ…直線
【図１】
2006277356.tif 000003
【図２】
2006277356.tif 000004
【図３】
2006277356.tif 000005
【図４】
2006277356.tif 000006
【図５】
2006277356.tif 000007
【図６】
2006277356.tif 000008
【図７】
2006277356.tif 000009
【図８】
2006277356.tif 000010
【図９】
2006277356.tif 000011
【図１０】
2006277356.tif 000012